(57)【要約】      （修正有）【課題】構造体の駆動波を構成する各周波数スペクトル成分の振幅・位相を各々独立に設定し、駆動信号がアンプやフィルタなどの電子回路を通過する際に生じる時間遅れまたは位相回転の結果生じる駆動信号波形の鈍り、ノイズ成分の増加の問題を回避する。【解決手段】駆動する微小面構造体の機械共振周波数特性の逆機械共振特性で駆動波に対し重み付け処理をほどこしその周波数特性の時間軸上の波形で該微小構造体を駆動することにより、その機械共振特性を打ち消し過度の応答のない所望の駆動動作結果を得る。さらに時々刻々変化する微小構造体の実動作信号を二回時間微分して得られる残留共振応答による成分を駆動信号に負帰還し新たな駆動信号とし微小構造体を駆動することにより残留共振応答にリアルタイムに制動をかける。【選択図】図５
2010099804.tif 000002
【特許請求の範囲】
【請求項１】
ＭＥＭＳ微小構造体駆動制御装置において固有の機械共振周波数特性をもつ構造体の逆機械共振周波数特性で重み付けた駆動波によりその構造体を駆動しその構造体の共振特性を打ち消し所望の駆動特性を制御する方法。
【請求項２】
ＭＥＭＳ微小構造体駆動制御装置において固有の機械共振周波数特性をもつ構造体を駆動し構造体の実動作信号を二回時間微分して得られる成分要素を共振運動によるものとして同定・抽出した共振成分信号を該駆動波にリアルタイムに負帰還し機械共振に制動をかけ所望の駆動特性を制御する方法。
【請求項３】
ＭＥＭＳ微小構造体駆動制御装置において固有の機械共振周波数特性をもつ構造体の逆機械共振周波数特性で重み付けた駆動波に構造体の実動作信号を二回時間微分して得られる成分要素を共振運動によるものとして同定・抽出した共振成分信号を該駆動波にリアルタイムに負帰還し機械共振特性を打ち消しかつ残留機械共振に制動をかけ所望の駆動特性を制御する方法。
【請求項４】
ＭＥＭＳ微小構造体駆動制御装置において固有の機械共振周波数特性をもつ構造体の逆機械共振周波数特性で重み付けた駆動波によりその構造体を駆動しその構造体の共振特性を打ち消すことにより所望の駆動特性を制御する装置。
【請求項５】
ＭＥＭＳ微小構造体駆動制御装置において固有の機械共振周波数特性をもつ構造体を駆動し構造体の実動作信号を二回時間微分して得られる成分要素を共振運動によるものとして同定・抽出した共振成分信号を該駆動波にリアルタイムに負帰還し機械共振に制動をかけ所望の駆動特性を制御する装置。
【請求項６】
ＭＥＭＳ微小構造体駆動制御装置において固有の機械共振周波数特性をもつ構造体の逆機械共振周波数特性で重み付けた駆動波に構造体の実動作信号を二回時間微分して得られる成分要素を共振運動によるものとして同定・抽出した共振成分信号を該駆動波にリアルタイムに負帰還し機械共振特性を打ち消しかつ残留機械共振に制動をかけ所望の駆動特性を制御する装置。
【発明の詳細な説明】
【技術分野】
【０００１】
この発明は電磁気力、圧電力、静電力等で駆動するＭＥＭＳ微小構造体において固有の機械共振特性を持つ構造体の駆動時の運動から機械共振による応答を除去する制御方法と制御装置に関するものである。
【背景技術】
【０００２】
ＭＥＭＳ微小構造体駆動において駆動信号から構造体の機械共振周波数領域の応答特性をフィルタリング技術により減衰させ構造体の共振を抑制している。
【０００３】
ベッセルフィルタは周波数に対して位相回転が比例関係を保つように設計されておりオーバーシュートやリンギング等波形の変形はできるだけ抑えることができる。
【０００４】
しかし、駆動信号がアンプやフィルタなどの電子回路を通過する際に必ず時間遅れまたは位相回転を生じるため駆動信号波形が鈍り、さらにノイズ成分が増加する。
【特許文献１】特願２００８−１７６６８、提出日２００８年７月７日、提出者  歸山敏之、発明の名称「電磁気駆動型ＭＥＭＳ微小構造体駆動制御方法と制御装置」
【発明の開示】
【発明が解決しようとする課題】
【０００５】
ＭＥＭＳ（Ｍｉｃｒｏ  Ｅｌｅｃｔｒｏ  Ｍｅｃｈａｎｉｃａｌ  Ｓｙｓｔｅｍ）、又はＭＯＥＭＳ（Ｍｉｃｒｏ  Ｏｐｔｏ−Ｅｌｅｃｔｒｏ  Ｍｅｃｈａｎｉｃａｌ  Ｓｙｓｔｅｍ）応用装置はＭＥＭＳ、又はＭＯＥＭＳ素子の電気機械光学効果をその機能の基とし構成される。
【０００６】
ＭＥＭＳ、又はＭＯＥＭＳ素子の機能単位の大きさは数ミクロンから数ミリの範囲にわたる。電磁気力、圧電力、静電力等で駆動する微小な構造体はその質量、形状、構造に起因する固有の機械共振特性を有する。
【０００７】
微小な構造体の機械共振特性を利用すれば少ないエネルギーで大きな機械振動運動が可能であり、機械共振現象を積極的に利用する応用では好都合である。
【０００８】
しかし機械共振現象を回避しなければならない応用では僅かのエネルギーで機械共振現象が誘起され応用上の不具合を生じる。
【０００９】
微小構造体に機械共振が誘起されるとその構造体の運動は駆動信号により制御されるべき運動から外れその位置を正確に定めることができなくなる。
【課題を解決するための手段】
【００１０】
固有の機械共振特性をもつ微小構造体の駆動波を構成する周波数スペクトルをその微小構造体の機械共振スペクトルの逆特性で重み付け処理し、該駆動波で微小構造体を駆動する。
【００１１】
且つ、微小構造体の実動作から実動作信号を検出し、実動作信号から機械共振信号成分を同定・抽出し、前述の該駆動波信号へ帰還し新たな駆動波とし微小構造体を駆動することにより残留する機械共振にリアルタイムに制動をかけ微小構造体に対し所望の駆動特性を制御する。
【発明の効果】
【００１２】
固有の機械共振特性をもつ微小構造体の駆動波を構成する周波数スペクトルをその微小構造体の機械共振スペクトルの逆特性で重み付ける処理において該構造体の駆動波を構成する各周波数スペクトル成分の振幅・位相は各々独立に設定する。
【００１３】
駆動信号がアンプやフィルタなどの電子回路を通過する際に生じる時間遅れまたは位相回転の結果生じる駆動信号波形の鈍り、ノイズ成分の増加の問題を回避できる。
【００１４】
該駆動信号により微小構造体を駆動した時、無視できない共振運動が微小構造体の実動作に残存する場合に、時々刻々変化する微小構造体の実動作信号から残留共振応答による成分を同定・抽出し該成分を駆動信号に負帰還し得られる新たな駆動信号により微小構造体を駆動しリアルタイムに残留共振応答に制動をかけ該応答を常に最小化できる。
【発明を実施するための最良の形態】
【００１５】
本発明は微小構造体を駆動制御する方法と装置に関し電磁気力、圧電気力、静電気力などの駆動力を与える手段に特定されることなく普遍的に適用が可能なものでありその効果が得られるものである。
【００１６】
便宜上、図１に示す電磁気力により駆動力を得るＭＥＭＳ電磁気駆動型微小構造体の例を基に本発明を実施するための最良の形態を説明する。板状の微小構造体１の周囲に電流を流すコイル２を形成し、該構造体を薄く軟らかいヒンジ４ａ，４ｂにより支持柱３ａ，３ｂの間に吊り、コイルの支持軸に対し直角の方向から平行磁界５を印加する。
【００１７】
該微小構造体１のコイル２に電流６を流すとフレミングの左手の法則から電流と磁界の両者に対して垂直の方向に力７ａ，７ｂが作用し該構造体１はこの力による回転力とヒンジの捩れによる復元力８ａ，８ｂが釣り合う角度９に傾斜する。
【００１８】
図２に該微小構造体１のコイル２に電流６を流し該微小構造体１を駆動する波形の実施例として繰り返し周波数ｆ（周期ｆ分の１秒）ののこぎり波１０ａと該のこぎり波１０ａをフーリエ級数展開して得られる周波数特性スペクトル１０ｂを示す。
【００１９】
のこぎり波１０ａをフーリエ級数展開して得られる周波数特性スペクトル１０ｂは振幅Ａ１、周波数ｆのサイン波、振幅Ａ２、周波数２ｆのサイン波、、、振幅Ａｎ、周波数ｎｆのサイン波、、、と基本周波数ｆのサイン波から始まり離散的サイン波成分が周波数間隔ｆで高周波数側に分布し構成される。
【００２０】
図３に該のこぎり波１０ａをフーリエ級数展開して得られる周波数特性スペクトル１０ｂと同じ離散的サイン波スペクトルでサンプリング表示される機械共振周波数特性１１ａをもつ該微小構造体１をのこぎり波１０ａで駆動した結果の周波数特性スペクトル１２ａと、機械共振による過度の振動が時間軸上の応答特性１２ｂに現れる例を示す。
【００２１】
このような機械共振による過度の振動を打ち消す駆動方法を以下に説明する。
【００２２】
図４に、微小面構造体１の所望の駆動動作を繰り返し周波数ｆののこぎり波１０ａを実施例とし、のこぎり波１０ａをフーリエ級数展開して得られる周波数特性スペクトル１０ｂと同じ離散的サイン波スペクトルでサンプリングした該構造体１の機械共振周波数特性１１ａの逆機械共振特性１３で該のこぎり波の周波数特性スペクトル１０ｂに重み付け処理を施した周波数特性１４ｂの時間軸上での波形１４ａで該構造体１を駆動することによりその機械共振特性を打ち消し該構造体１に対し共振による過度の振動応答のない時間軸上での所望の駆動動作特性１０ｅ周波数軸上での所望の駆動動作特性１０ｆを得る第一の本発明内容を示す。
【００２３】
微小構造体１への所望の繰り返し駆動を直線成分で構成されるのこぎり波を例にとり説明しているが曲線成分も含む任意の繰り返し駆動波形について本発明内容は適応される。
【００２４】
微小構造体の機械共振周波数特性１１ａの中に１次機械共振周波数スペクトル１１ｂと２次機械共振周波数スペクトル１１ｃが存在する例を示したが、該共振周波数スペクトル帯域幅は通常狭くこの帯域に含まれる離散的サイン波成分は数個の程度である。
【００２５】
微小構造体固有の共振周波数特性を駆動波の周波数間隔で飛び飛びに存在する数個のサイン波でサンプリングする際にサンプリング誤差が入り込む。
【００２６】
一方、微小構造体製造時の不均一性により微小構造体の共振特性にばらつきを生じる、温度、湿度等の動作環境条件により該共振特性は影響を受ける、また構造体の材料特性の経時変化によっても該共振特性が変動する等は典型的共振特性からのずれを引き起こす要因となる。
【００２７】
よって固有の機械共振特性をもつ微小構造体の駆動波を構成する周波数スペクトルをその微小構造体の機械共振スペクトルの逆特性で一義的に重み付け処理した駆動波で過度の共振を打ち消す駆動を行った後にも、微小構造体の実動作の中に残留共振成分が存在することとなる。
【００２８】
この残留共振成分を減衰させるため微小構造体の実動作から得られる信号から該残留共振成分を同定・抽出し該残留共振成分を駆動信号に負帰還しこの残留共振をリアルタイムに制動する方法は効果的であり該方法を以下に説明する。
【００２９】
図１の微小構造体実施例では駆動電流６を流した長方形コイルを平等磁界中に置くとフレミング）左手の法則によりコイルと磁界の間に作用する力により長方形コイルは回転運動し、同時にコイルと鎖交する磁束が変化することによりフレミング右手の法則によりコイル導体には磁束変化を妨げるよう逆起電力１０ｃ、１０ｄを発生する。
【００３０】
微小構造体の実動作からこの逆起電力１０ｃ、１０ｄを検出し実動作信号とすることができる。また、圧電力、静電力等の駆動手段で駆動される微小構造体に対してもその実動作から応力変化、容量変化、光偏向角変化等から実動作信号を得る手段は存在するがそれらの詳細を述べることは本発明の範囲ではない。
【００３１】
図５に時々刻々変化する微小構造体の実動作信号と源駆動波信号から残留共振応答による成分を同定・抽出し該成分を駆動信号に負帰還し得られる新たな駆動信号により微小構造体を駆動しリアルタイムに残留共振応答に制動をかける第二の本発明内容を示す。
【００３２】
システムのタイミングは同期信号１５を基とし、源駆動波またはその情報生成器１６から源駆動波またはその情報１７を逆共振特性重み付け駆動波生成器１８に供給し該駆動波生成器１８は逆共振特性重み付け駆動波１９を生成する。
【００３３】
逆共振特性重み付け駆動波１９は減算器２０で後述の残留共振成分２７の負帰還を合成し微小構造体駆動信号２８を生成し、該駆動信号は電力増幅器２１で電流電力を増幅し微小構造体２２を駆動する。
【００３４】
微小構造体２２の実動作をプローブ２３で検知し実動作信号検出器２４で実動作信号を検出し、該検出器２４は実動作信号２５を生成し、該信号２５を残留共振成分抽出器２６に送る。
【００３５】
残留共振成分抽出器２６は源駆動波またはその情報１７と実動作信号２５から残留共振成分を同定・抽出し残留共振信号２７を生成し、該信号２７を減算器２０に送り逆共振特性重み付け駆動波１９に負帰還合成し微小構造体駆動信号２８を生成する。
【００３６】
図６に実動作信号から残留共振成分を同定・抽出する方法を示す。
【００３７】
残留共振信号を含む実動作信号２５を残留共振成分抽出器２６に送り、第一時間微分器２９で時間微分処理を施し信号３０を出力し、さらに該信号３０は第二時間微分器３１で二回目の時間微分処理を施し信号３２を出力する。
【００３８】
サイン波を二回時間微分すると元のサイン波にその角周波数の二乗に負号をつけた結果３３となるので、残留共振成分は残留共振信号を含む実動作信号２５を二回時間微分し同定することができる。
【００３９】
周波数ｆの源駆動波を緩やかな曲線成分を持って構成する場合や駆動波と微小構造体の実動作との間や微小構造体の実動作と実動作信号２５との間に非線形性が存在する場合には、実動作信号２５の二回時間微分結果はゼロにはならずこれ等残留共振成分以外からの寄与も二回時間微分結果に含まれてくる。
【００４０】
しかし、これ等残留共振成分以外の成分周波数は一般的には残留共振周波数の数分の一以下であり、二回時間微分の後では残留共振成分以外からの成分寄与は残留共振成分による寄与の数十分の一レベルに減少する。
【００４１】
微分処理により増幅される不要高周波雑音は位相補償等の回路技術により高周波利得を下げその影響を低減する。
【００４２】
よって実動作信号２５を二回時間微分する処理により残留共振成分は効果的に同定・抽出することができる。
【００４３】
二回時間微分後の信号３２を出力制御器３４に送りその振幅、位相を調整し、高周波雑音を除去し、出力ゲートタイミングを制御し残留共振信号２７を出力する。
【００４４】
一連の処理に於いて各処理ブロックの駆動波１７、１９、２５、２７、２８、３０、３２上の時間進行タイミング（位相）は同期信号１５を基準としずれが生じないようシステムを構築する。
【実施例】
【００４５】
図７に微小構造体の共振を制御し駆動する手段の具体的実施例１を示す。
【００４６】
繰り返し周波数ｆの源駆動波に対し微小構造体の機械共振周波数スペクトル帯域に含まれる離散的サイン波成分に対し逆機械共振周波数特性で重み付けを行ない新たな駆動信号を生成する。
【００４７】
同期信号発生器３５から同期信号１５を参照し駆動波生成器３６から微小構造体を駆動する繰り返し周波数ｆ、振幅Ａ、位相Ｐの駆動波１０aを出力する。
【００４８】
微小構造体を駆動する繰り返し周波数ｆ、振幅Ａ、位相Ｐの駆動波１０aの周波数スペクトルは一義的に定まり、また微小構造体の機械共振周波数スペクトルは微小構造体固有のものであるから、逆機械共振周波数特性で重み付けられた周波数特性１４ｂを実現するための機械共振打ち消し離散的サイン波の周波数、振幅、位相データは事前に計算しメモリ３７に書き込む。
【００４９】
例えば機械共振打ち消し離散的サイン波を３波とした場合、それらの周波数、振幅、位相データをメモリ３７からサイン波生成器コントローラ３８に読み込み、該コントローラ３８は機械共振打ち消しサイン波生成器３９、４１、４３を各々周波数（Ｎ−１）ｆ・振幅ＡＮ−１・位相Ｐ、周波数Ｎｆ・振幅ＡＮ・位相Ｐ、周波数（Ｎ＋１）ｆ・振幅ＡＮ＋１・位相Ｐ（Ｎ：整数）に設定し、該生成器３９、４１、４３から周波数、振幅、位相の制御されたサイン波４０、４２、４４を出力する。
【００５０】
該サイン波４０、４２、４４は加算器４７で加算し機械共振打ち消し補正信号４８を生成し該補正信号４８を減算器４９に入力し所望駆動波信号１０aから引き算され新たな駆動信号１４aを生成する。
【００５１】
該駆動信号１４aを電力増幅器２１で増幅し微小構造体２２を駆動する。
【００５２】
図８に微小構造体の共振を制御し駆動する手段の具体的実施例２を示す。
【００５３】
繰り返し周波数ｆの源駆動波に対し微小構造体の逆機械共振周波数特性で重み付けを行なった周波数特性の周波数ｆの駆動波をｍ個のサイン波から合成し新たな駆動信号を生成する。
【００５４】
微小構造体の駆動波１４aを実現するｍ個の離散的サイン波の周波数、振幅、位相データを事前に計算しメモリ３７に書き込み、サイン波生成器コントローラ３８でサイン波生成器５０、５２、５４、、、６０、、、７０の周波数、振幅、位相を設定する。    
【００５５】
同期信号発生器３５から同期信号１５をｍ個のサイン波生成器５０、５２、５４、、、６０、、、７０に送り、各サイン波生成器は駆動波周波数スペクトル１４ｂを構成する周波数、振幅、位相の制御された離散的サイン波成分５１、５３、５５、、、６１、、、７１を生成し、該離散的サイン波成分５１、５３、５５、、、６１、、、７１を加算演算器７２に送りすべて加算し周波数ｆの駆動波１４aを生成する。
【００５６】
周波数ｆの駆動波１４aを電力増幅器２１で増幅し微小構造体２２を駆動する。
【００５７】
図９に微小構造体の共振を制御し駆動する手段の具体的実施例３を示す。
【００５８】
繰り返し周波数ｆの源駆動波の周波数特性に対し微小構造体の逆機械共振周波数特性で重み付けを行ない得た周波数特性を構成するすべてのサイン波スペクトルの振幅を位相、または時間軸上で加算合成した結果を時系列に並ぶデジタルデータとしてメモリに蓄積し、該デジタルデータを逐次メモリーから読み出しデジタルからアナログに変換し微小構造体駆動波を直接生成する。
【００５９】
事前に微小構造体の逆機械共振周波数特性１３で重み付けを行なった周波数特性１４ｂの周波数ｆの駆動波１４aの時間軸上の逐次変化をアナログ量からデジタル量にＡＤ変換しメモリ３７に書き込む。
【００６０】
同期信号発生器３５から同期信号１５をコントローラ７３に送り、コントローラ７３はメモリ３７とＤＡ変換器７４をコントロールし、メモリ３７から読み出したデータをＤＡ変換器７４に送りＤＡ変換し周波数ｆの駆動波１４aを出力する。
【００６１】
周波数ｆの駆動波１４aを電力増幅器２１で増幅し微小構造体２２を駆動する。
【００６２】
図１０に微小構造体の共振を制御しかつ時々刻々変化する残留共振をリアルタイムに制動し微小構造体を駆動する手段の具体的実施例４を示す。
【００６３】
繰り返し周波数ｆの源駆動波に対し微小構造体の機械共振周波数スペクトル帯域に含まれる離散的サイン波成分に対し逆機械共振周波数特性で重み付けを行ない、該重み付けた駆動信号に減算器２０で構造体の実動作信号から抽出した残留共振信号を負帰還し微小構造体２２を駆動する。
【００６４】
図１１に微小構造体の共振を制御しかつリアルタイムに共振を制動し微小構造体を駆動する手段の具体的実施例５を示す。
【００６５】
繰り返し周波数ｆの源駆動波に対し微小構造体の逆機械共振周波数特性で重み付けを行なった周波数ｆの駆動波をｍ個のサイン波から合成し、重み付けた駆動信号に構造体の実動作信号から抽出した残留共振信号を減算器２０で負帰還し微小構造体２２を駆動する。
【００６６】
図１２に微小構造体の共振を制御しかつリアルタイムに共振を制動し微小構造体を駆動する手段の具体的実施例６を示す。
【００６７】
繰り返し周波数ｆの源駆動波の周波数特性に対し微小構造体の逆機械共振周波数特性で重み付けを行ない得た周波数特性を構成するすべてのサイン波スペクトルの振幅を位相または時間軸上で加算合成した結果を時系列に並ぶデジタルデータとしてメモリに蓄積し、該デジタルデータを逐次メモリーから読み出しデジタルからアナログに変換し、該駆動信号に構造体の実動作信号から抽出した残留共振信号を減算器２０で負帰還し微小構造体２２を駆動する。
【産業上の利用可能性】
【００６８】
ＭＥＭＳ微小構造体に光を反射するミラー特性を与えて構成し、微小構造体から共振振動を取り除く本発明の駆動制御方法を適用する装置は、プロジェクションディスプレイ機器、画像センサ機器、通信機器を始めとした光応用機器に利用される。
【図面の簡単な説明】
【００６９】
【図１】ＭＥＭＳ電磁気駆動型微小構造体の実施例
【図２】微小構造体の駆動波とその周波数特性スペクトルの例
【図３】微小構造体共振特性の駆動特性への影響
【図４】微小構造体の共振特性を制御し該構造体を駆動する発明１
【図５】微小構造体の残留共振成分を抽出し共振にリアルタイムに制動をかける発明２
【図６】微小構造体の実動作信号から残留共振成分を同定・抽出する方法
【図７】微小構造体の機械共振を制御し駆動する手段の具体的実施例１
【図８】微小構造体の機械共振を制御し駆動する手段の具体的実施例２
【図９】微小構造体の機械共振を制御し駆動する手段の具体的実施例３
【図１０】微小構造体の機械共振を制御しかつリアルタイムに共振を制動し駆動する手段の具体的実施例４
【図１１】微小構造体の機械共振を制御しかつリアルタイムに共振を制動し駆動する手段の具体的実施例５
【図１２】微小構造体の機械共振を制御しかつリアルタイムに共振を制動し駆動する手段の具体的実施例６
【符号の説明】
【００７０】
１  板状の微小構造体
２  板状の微小構造体の周囲に形成されたコイル
３ａ  微小構造体を吊る支持柱
３ｂ  微小構造体を吊る支持柱
４ａ  微小構造体を吊るヒンジ
４ｂ  微小構造体を吊るヒンジ
５  微小構造体に印加する平行磁界
６  コイルに流す駆動電流
７ａ  電流と磁界に対し垂直の方向に働く力
７ｂ  電流と磁界に対し垂直の方向に働く力
８ａ  ヒンジの捩れによる復元力
８ｂ  ヒンジの捩れによる復元力
９  微小構造体と平行磁界のなす角度
１０ａ  繰り返し周波数ｆののこぎり波
１０ｂ  繰り返し周波数ｆののこぎり波の周波数特性スペクトル
１０ｃ  コイル導体に磁束変化を妨げるよう発生する逆起電力
１０ｄ  コイル導体には磁束変化を妨げるよう発生する逆起電力
１０ｅ  時間軸上での所望の駆動動作特性
１０ｆ  周波数軸上での所望の駆動動作特性
１１ａ  微小構造体の機械共振周波数特性
１１ｂ  微小構造体の一次機械共振周波数スペクトル
１１ｃ  微小構造体の二次機械共振周波数スペクトル
１２ａ  機械共振特性を有する微小構造体をのこぎり波で駆動した場合の周波数特性スペクトル
１２ｂ  機械共振による過度の振動が現れる時間軸上の応答特性
１３  微小構造体の機械共振周波数特性の逆機械共振特性
１４ａ  微小構造体の逆機械共振特性で重み付けたのこぎり波の時間軸の特性
１４ｂ  微小構造体の逆機械共振特性で重み付けたのこぎり波の周波数特性  
１５  同期信号
１６  源駆動波またはその情報生成器
１７  源駆動波またはその情報
１８  逆共振特性重み付け駆動波生成器
１９  逆共振特性重み付け駆動波
２０  減算器
２１  電力増幅器
２２  微小構造体
２３  プローブ
２４  実動作信号検出器
２５  実動作信号
２６  残留共振成分抽出器
２７  残留共振成分
２８  微小構造体駆動信号
２９  第一時間微分器
３０  一回時間微分処理を施した信号
３１  第二時間微分器
３２  二回時間微分処理を施した信号
３３  サイン波の二回時間微分結果
３４  出力制御器
３５  同期信号発生器
３６  駆動波生成器
３７  メモリ
３８  サイン波生成器コントローラ
３９  サイン波生成器
４０  周波数、振幅、位相の制御されたサイン波
４１  サイン波生成器
４２  周波数、振幅、位相の制御されたサイン波
４３  サイン波生成器
４４  周波数、振幅、位相の制御されたサイン波
４７  加算器
４８  機械共振打ち消し補正信号
４９  減算器
５０  サイン波生成器
５１  周波数、振幅、位相の制御された離散的サイン波成分
５２  サイン波生成器
５３  周波数、振幅、位相の制御された離散的サイン波成分
５４  サイン波生成器
５５  周波数、振幅、位相の制御された離散的サイン波成分
６０  サイン波生成器
６１  周波数、振幅、位相の制御された離散的サイン波成分
７０  サイン波生成器
７１  周波数、振幅、位相の制御された離散的サイン波成分
７２  加算演算器
７３  コントローラ
７４  ＤＡ変換器
【図１】
2010099804.tif 000003
【図２】
2010099804.tif 000004
【図３】
2010099804.tif 000005
【図４】
2010099804.tif 000006
【図５】
2010099804.tif 000007
【図６】
2010099804.tif 000008
【図７】
2010099804.tif 000009
【図８】
2010099804.tif 000010
【図９】
2010099804.tif 000011
【図１０】
2010099804.tif 000012
【図１１】
2010099804.tif 000013
【図１２】
2010099804.tif 000014